(57)【要約】【課題】太陽の角度に合わせてスクリーン角度を容易に調節でき、風通しについても考慮した日除け機能付き物干し装置を提供する。【解決手段】バルコニー１の出入り口３の上方位置における壁面４に取り付けられる遮光スクリーン収納ケース５と、遮光スクリーン収納ケース５の取り付け位置の前方でバルコニー１の内側に立設された左右一対の遮光スクリーン支持用の柱１０とを備え、各柱１０は下側柱部１０ａと、この下側柱部１０ａに嵌入して上下動可能な上側柱部１０ｂとからなり高さ調整できるようになっており、前記各柱１０の上側柱部１０ｂの上端には遮光スクリーン収納ケース５に収納された遮光スクリーン６の一端側のバー９を引っ掛けて受ける受け金具１２が取り付けられ、この受け金具１２よりも下側で上側柱部１０ｂの上端近傍には物干し竿受け金物１３が取り付けられている。【選択図】    図３
2005334512.tif 000002
【特許請求の範囲】
【請求項１】
バルコニーのスライド可能なサッシ扉により開閉自在な出入り口の上方位置における壁面に取り付けられる遮光スクリーン収納ケースと、この遮光スクリーン収納ケースの取り付け位置の前方でバルコニーの内側に立設された左右一対の遮光スクリーン支持用の柱とを備え、前記各柱は下側柱部と、この下側柱部に嵌入して上下動可能な上側柱部とからなり、下側柱部からの上側柱部の引き出し高さを調整できるようになっており、前記各柱の上側柱部の上端には前記遮光スクリーン収納ケースに収納された遮光スクリーンの一端側のバーを引っ掛けて受ける受け金具が取り付けられ、この受け金具よりも下側で前記上側柱部の上端近傍には出入り口側に向って突出する物干し竿受け金物が取り付けられていることを特徴とする日除け機能付き物干し装置。
【発明の詳細な説明】
【技術分野】
【０００１】
本発明は、バルコニーの日除け機能付き物干し装置に関するものである。
【背景技術】
【０００２】
従来からバルコニーの日除け機能として、特許文献１に開示されているように、所定の材質からなるカーテンを引き出し及び巻き取り可能に収納したカーテン収納体と、前記カーテン収納体を支持する支持体を備え、前記カーテンには、その引き出し状態を所望の位置で固定することができる固定部材が設けられ、前記カーテン収納体に設けられた第１の接合部と、前記支持体に設けられた第２の接合部とを接合することによって、前記カーテン収納体を前記支持体に固定し、前記支持体を、所望の設置箇所に着脱自在に固定する雨除け日除けカーテン装置が知られている。
【０００３】
この雨除け日除けカーテン装置において、カーテン収納体から引き出されたカーテンは例えば手摺り部に掛け止めベルトを巻き回して支持しており、カーテン収納体から引き出されたカーテンの角度は一定である。
【特許文献１】特開２００１−２６２８０１号公報
【発明の開示】
【発明が解決しようとする課題】
【０００４】
上記特許文献１に開示されている雨除け日除けカーテン装置にあっては、カーテン収納体から引き出されたカーテンの角度は一定であることから、太陽の角度に合わせてカーテン角度を調節することは不可能であり、常にバルコニーの前面を塞いだ状態にあり、風通しを遮るなどの問題があった。
【０００５】
本発明の目的は、このような課題を解決するものであり、太陽の角度に合わせてカーテン（スクリーン）角度を容易に調節でき、風通しについても考慮した日除け機能付き物干し装置を提供することにある。
【課題を解決するための手段】
【０００６】
本発明の請求項１に記載の日除け機能付き物干し装置は、バルコニーのスライド可能なサッシ扉により開閉自在な出入り口の上方位置における壁面に取り付けられる遮光スクリーン収納ケースと、この遮光スクリーン収納ケースの取り付け位置の前方でバルコニーの内側に立設された左右一対の遮光スクリーン支持用の柱とを備え、前記各柱は下側柱部と、この下側柱部に嵌入して上下動可能な上側柱部とからなり、下側柱部からの上側柱部の引き出し高さを調整できるようになっており、前記各柱の上側柱部の上端には前記遮光スクリーン収納ケースに収納された遮光スクリーンの一端側のバーを引っ掛けて受ける受け金具が取り付けられ、この受け金具よりも下側で前記上側柱部の上端近傍には出入り口側に向って突出する物干し竿受け金物が取り付けられていることを特徴とする。
【発明の効果】
【０００７】
以上のように、本発明の日除け機能付き物干し装置は、下側柱部からの上側柱部の引き出し高さ、つまり柱の高さを予め調整しておくことにより、遮光スクリーン収納ケースから引き出された遮光スクリーンの角度を調整することが可能となる。これにより、太陽の角度に合わせて遮光スクリーンの角度を容易に調節でき、遮光スクリーンの角度が水平に近くなるほど風通しも良くなる。
【発明を実施するための最良の形態】
【０００８】
以下、本発明の一実施の形態を、図１〜図６を用いて具体的に説明する。
図において、１はマンションなどの集合住宅あるいは一戸建て住宅のバルコニーであって、このバルコニー１のスライド可能なサッシ扉２により開閉自在な出入り口３の上方位置における壁面４に遮光スクリーン収納ケース５が取り付けられる。図面では示されていないが、出入り口３の上方位置における壁面４に側面断面形状がほぼ正方形で長尺状の遮光スクリーン収納ケース５を取り付けるための長尺状の取り付け金具が取り付けられ、この取り付け金具に長尺状の遮光スクリーン収納ケース５の背面側をビス止めしている。前記遮光スクリーン収納ケース５の内部には遮光スクリーン６が軸７に巻かれた状態で収納されていて、一端側を遮光スクリーン収納ケース５の底部の開口部８から繰り出すように引っ張ることにより遮光スクリーン６は遮光スクリーン収納ケース５から引き出される。なお、遮光スクリーン６の一端側には丸棒状のバー９が取り付けられている。また、図面では示されていないが、軸７には遮光スクリーン６を巻き取る方向に付勢するばねがセットされているとともに、開口部８から引き出された遮光スクリーン６が勝手に戻らないようにするためのストッパーとしてのラチェット機構がセットされている。つまり、遮光スクリーン６は引き出された状態から少し引っ張ることによってラチェット機構が解除されて、軸７に巻き取られる。
【０００９】
１０は前記遮光スクリーン収納ケース５の取り付け位置の前方でバルコニー１の前面壁部１ａの内側に立設された左右一対の遮光スクリーン支持用の柱で、左右一対の柱１０は前記遮光スクリーン６の両端間の幅に合わせて設けられている。そして、各柱１０は下側柱部１０ａと、この下側柱部１０ａに嵌入して上下動可能な上側柱部１０ｂとからなり、下側柱部１０ａからの上側柱部１０ｂの引き出し高さを調整後、下側柱部１０ａの上端に設けた締め付けねじ１１を締め付けることにより柱１０の高さを調整できるようになっている。ところで、前記各柱１０の上側柱部１０ｂの上端には前記遮光スクリーン６の一端側のバー９を引っ掛けて受ける受け金具１２が取り付けられ、またこの受け金具１２よりも下側で上側柱部１０ｂの上端近傍には出入り口３側に向って水平よりもやや上向きに突出する物干し竿受け金物１３が取り付けられている。この物干し竿受け金物１３は上側柱部１０ｂから突出した状態からロックを解除して上側柱部１０ｂに収納できるようになっている。物干し竿受け金物１３には適当間隔おきに物干し竿を差し込むための孔１３ａが形成されており、左右の柱１０，１０の物干し竿受け金物１３，１３に物干し竿（図示せず）を掛けて洗濯物を干すことができるようになっている。
【００１０】
上記構成において、遮光スクリーン６を遮光スクリーン収納ケース５から引き出してバルコニーの日除けを行なう際、遮光スクリーン収納ケース５の開口部８の下側に突出しているバー９を引っ張り遮光スクリーン６を遮光スクリーン収納ケース５から引き出し、バー９の両端を左右の柱１０，１０の上側柱部１０ｂ，１０ｂの上端の受け金具１２に引っ掛ける。そのとき、下側柱部１０ａからの上側柱部１０ｂの引き出し高さ、つまり柱１０の高さを予め調整しておくことにより、遮光スクリーン収納ケース５から引き出された遮光スクリーン６の角度を調整することが可能となる。これにより、太陽の角度に合わせて遮光スクリーン６の角度を容易に調節でき、遮光スクリーン６の角度が水平に近くなるほど風通しも良くなる。
【００１１】
ところで、遮光スクリーン６を必要としないときは前記上側柱部１０ｂを下側柱部１０ａに収納して柱１０を縮めておくことも可能である。また、遮光スクリーン６のバー９を受け金具１２に引っ掛けずに、出入り口３と平行に垂らすことも可能である。また、上記実施の形態では下側柱部１０ａからの上側柱部１０ｂの引き出し高さを調整後、下側柱部１０ａの上端に設けた締め付けねじ１１を締め付けることにより柱１０の高さを調整できるようになっているが、締め付けねじ１１以外の他のロック手段を用いることも可能である。
【図面の簡単な説明】
【００１２】
【図１】本発明の一実施の形態におけるバルコニーを外側から見た斜視図である。
【図２】同バルコニーを内側から見た斜視図である。
【図３】同遮光スクリーンを引き出してバーを上側柱部上端の受け金具に引っ掛けた状態を示す斜視図である。
【図４】同遮光スクリーンを引き出してバーを上側柱部上端の受け金具に引っ掛けた状態を示す側面図である。
【図５】同遮光スクリーンを引き出して出入り口と平行に垂らした状態を示す側面図である。
【図６】同遮光スクリーンを遮光スクリーン収納ケースに収納し、柱および物干し竿受け金物を縮めた状態を示す側面図である。
【符号の説明】
【００１３】
１      バルコニー
１ａ    前面壁部
２      サッシ扉
３      出入り口
４      壁面
５      遮光スクリーン収納ケース
６      遮光スクリーン
７      軸
８      開口部
９      バー
１０      柱
１０ａ    下側柱部
１０ｂ    上側柱部
１１      締め付けねじ
１２      受け金具
１３      物干し竿受け金物
１３ａ    孔
【図１】
2005334512.tif 000003
【図２】
2005334512.tif 000004
【図３】
2005334512.tif 000005
【図４】
2005334512.tif 000006
【図５】
2005334512.tif 000007
【図６】
2005334512.tif 000008